【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
透光性を有する表示手段と、前記表示手段の周囲に配置された撮像手段とを有し、
前記表示手段は、凹凸形状を有する基板を有し、
前記凹凸形状の一部に反射体が設けられ、
映像情報は前記表示手段を透過して前記反射体によって反射され、前記撮像手段へ入力されることを特徴とする撮像機能付き表示装置。
【請求項２】
透光性を有する表示手段と、前記表示手段の周囲に配置された撮像手段とを有し、
前記表示手段は、凹凸形状を有する基板を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力されることを特徴とする撮像機能付き表示装置。
【請求項３】
発光素子を有する画素を配列させて形成され、且つ透光性を有する表示手段と、前記表示手段の周囲に配置された撮像手段とを有し、
前記表示手段は、凹凸形状を有する基板を有し、
前記凹凸形状の一部に反射体が設けられ、
映像情報は前記表示手段を透過して前記反射体によって反射され、前記撮像手段へ入力されることを特徴とする撮像機能付き表示装置。
【請求項４】
発光素子を有する画素を配列させて形成され、且つ透光性を有する表示手段と、前記表示手段の周囲に配置された撮像手段とを有し、
前記表示手段は、凹凸形状を有する基板を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力されることを特徴とする撮像機能付き表示装置。
【請求項５】
透光性を有する基板上に発光素子を有する画素を配列させて形成された表示手段と、前記表示手段の周囲に配置された撮像手段とを有し、
前記発光素子は透光性を有する一対の電極間に発光性物質を介在させた構成を有し、
前記基板は凹凸形状を有し、
前記凹凸形状の一部に反射体が設けられ、
映像情報は前記表示手段を透過して前記反射体によって反射され、前記撮像手段へ入力されることを特徴とする撮像機能付き表示装置。
【請求項６】
透光性を有する基板上に発光素子を有する画素を配列させて形成された表示手段と、前記表示手段の周囲に配置された撮像手段とを有し、
前記発光素子は透光性を有する一対の電極間に発光性物質を介在させた構成を有し、
前記基板は凹凸形状を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力されることを特徴とする撮像機能付き表示装置。
【請求項７】
発光素子を有する画素を配列させて形成された表示手段と、前記表示手段の周囲に配置された撮像手段とを有し、
前記発光素子は、透光性を有する一対の電極間に発光性物質を介在させた構成を有し、少なくとも一方の電極から光を射出することができ、
前記表示装置は、凹凸形状を有する基板を有し、
前記凹凸形状の一部に反射体が設けられ、
映像情報は前記表示手段を透過して前記反射体によって反射され、前記撮像手段へ入力されることを特徴とする撮像機能付き表示装置。
【請求項８】
発光素子を有する画素を配列させて形成された表示手段と、前記表示手段の周囲に配置された撮像手段とを有し、
前記発光素子は、透光性を有する一対の電極間に発光性物質を介在させた構成を有し、少なくとも一方の電極から光を射出することができ、
前記表示装置は、凹凸形状を有する基板を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力されることを特徴とする撮像機能付き表示装置。
【請求項９】
請求項５乃至８のいずれか一において、前記発光性物質は、エレクトロルミネセンスを発現する物質であることを特徴とする撮像機能付き表示装置。
【請求項１０】
液晶素子を有する画素部を透光性を有する基板上に形成した表示手段と、前記表示手段の周囲に配置された撮像手段とを有し、
前記画素部は開口領域を有し、
前記基板は凹凸形状を有し、
前記凹凸形状の一部に反射体が設けられ、
映像情報は前記表示手段を透過して前記反射体によって反射され、前記撮像手段へ入力されることを特徴とする撮像機能付き表示装置。
【請求項１１】
液晶素子を有する画素部を透光性を有する基板上に形成した表示手段と、前記表示手段の周囲に配置された撮像手段とを有し、
前記画素部は開口領域を有し、
前記基板は凹凸形状を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力されることを特徴とする撮像機能付き表示装置。
【請求項１２】
請求項１０または１１において、前記開口領域に、前記液晶素子が有する一対の電極とは異なる導電膜を設け、前記開口領域が透光性を有するように制御することを特徴とする撮像機能付き表示装置。
【請求項１３】
請求項１０乃至１２のいずれか一において、前記開口領域において、前記液晶素子が有する一対の電極、偏光板、及びカラーフィルターに開口部が設けられていることを特徴とする撮像機能付き表示装置。
【請求項１４】
請求項１０乃至１３のいずれか一において、前記画素部は複数の画素を有し、前記開口領域は前記画素毎に設けられることを特徴とする撮像機能付き表示装置。
【請求項１５】
請求項１乃至１４のいずれか一において、レンズを有し、前記レンズによって集光された映像情報は前記反射体によって反射され、前記撮像手段へ入力されることを特徴とする撮像機能付き表示装置。
【請求項１６】
請求項１乃至１５のいずれか一において、前記撮像手段は固体撮像素子を有することを特徴とする撮像機能付き表示装置。
【請求項１７】
請求項１乃至１５のいずれか一において、前記撮像手段はＣＣＤカメラ、又はＣＭＯＳカメラを有することを特徴とする撮像機能付き表示装置。
【請求項１８】
請求項１乃至１７のいずれか一において、前記撮像手段は、入力された映像情報に対して前記表示手段の透過率に応じた輝度補正を行い、前記表示手段に表示される画像の映像情報に対して前記表示手段からの発光による映り込みに応じた補正を行う補正手段を備えていることを特徴とする撮像機能付き表示装置。
【請求項１９】
請求項１乃至１８のいずれか一において、前記表示手段を透過した映像情報は、前記反射体によって９０度で反射され、前記撮像手段へ入力されることを特徴とする撮像機能付き表示装置。
【請求項２０】
請求項１乃至１９のいずれか一において、前記反射体によって反射された映像情報は、前記基板又は空気中を介して、前記撮像手段へ入力されることを特徴とする撮像機能付き表示装置。
【請求項２１】
透光性を有する表示手段と、前記表示手段の周囲に配置された撮像手段とを有し、
前記表示手段は、凹凸形状を有する基板を有し、
前記凹凸形状の一部に反射体が設けられ、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項２２】
透光性を有する表示手段と、前記表示手段の周囲に配置された撮像手段とを有し、
前記表示手段は、凹凸形状を有する基板を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項２３】
発光素子を有する画素を配列させて形成され、且つ透光性を有する表示手段と、前記表示手段の周囲に配置された撮像手段とを有し、
前記表示手段は、凹凸形状を有する基板を有し、
前記凹凸形状の一部に反射体が設けられ、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項２４】
発光素子を有する画素を配列させて形成され、且つ透光性を有する表示手段と、前記表示手段の周囲に配置された撮像手段とを有し、
前記表示手段は、凹凸形状を有する基板を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項２５】
透光性を有する基板上に発光素子を有する画素を配列させて形成された表示手段と、前記表示手段の周囲に配置された撮像手段とを有し、
前記発光素子は透光性を有する一対の電極間に発光性物質を介在させた構成を有し、
前記基板は凹凸形状を有し、
前記凹凸形状の一部に反射体が設けられ、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項２６】
透光性を有する基板上に発光素子を有する画素を配列させて形成された表示手段と、前記表示手段の周囲に配置された撮像手段とを有し、
前記発光素子は透光性を有する一対の電極間に発光性物質を介在させた構成を有し、
前記基板は凹凸形状を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項２７】
発光素子を有する画素を配列させて形成された表示手段と、前記表示手段の周囲に配置された撮像手段とを有し、
前記発光素子は、透光性を有する一対の電極間に発光性物質を介在させた構成を有し、少なくとも一方の電極から光を射出することができ、
前記表示装置は、凹凸形状を有する基板を有し、
前記凹凸形状の一部に反射体が設けられ、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項２８】
発光素子を有する画素を配列させて形成された表示手段と、前記表示手段の周囲に配置された撮像手段とを有し、
前記発光素子は、透光性を有する一対の電極間に発光性物質を介在させた構成を有し、少なくとも一方の電極から光を射出することができ、
前記表示装置は、凹凸形状を有する基板を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項２９】
請求項２４乃至２７のいずれか一において、前記発光性物質は、エレクトロルミネセンスを発現する物質であることを特徴とする双方向コミュニケーションシステム。
【請求項３０】
液晶素子を有する画素部を透光性を有する基板上に形成した表示手段と、前記表示手段の周囲に配置された撮像手段とを有し、
前記画素部は開口領域を有し、
前記基板は凹凸形状を有し、
前記凹凸形状の一部に反射体が設けられ、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項３１】
液晶素子を有する画素部を透光性を有する基板上に形成した表示手段と、前記表示手段の周囲に配置された撮像手段とを有し、
前記画素部は開口領域を有し、
前記基板は凹凸形状を有し、
前記凹凸形状は、第１の面と第２の面とが所定の角度をなすように且つ交互に設けられてなり、
前記第２の面には反射体が設けられており、
映像情報は前記表示手段を透過して前記反射体によって反射され、前記撮像手段へ入力され、
通話先の画像を前記表示手段に表示すると同時に、前記撮像手段は被写体である使用者を撮像することを特徴とする双方向コミュニケーションシステム。
【請求項３２】
請求項３０または３１において、前記開口領域に、前記液晶素子が有する一対の電極とは異なる導電膜を設け、前記開口領域が透光性を有するように制御することを特徴とする双方向コミュニケーションシステム。
【請求項３３】
請求項３０乃至３２のいずれか一において、前記開口領域において、前記液晶素子が有する一対の電極、偏光板、及びカラーフィルターに開口部が設けられていることを特徴とする双方向コミュニケーションシステム。
【請求項３４】
請求項３０乃至３３のいずれか一において、前記画素部は複数の画素を有し、前記開口領域は前記画素毎に設けられることを特徴とする双方向コミュニケーションシステム。
【請求項３５】
請求項２１乃至３４のいずれか一において、レンズを有し、前記レンズによって集光された映像情報は前記反射体によって反射され、前記撮像手段へ入力されることを特徴とする双方向コミュニケーションシステム。
【請求項３６】
請求項２１乃至３５のいずれか一において、前記撮像手段は固体撮像素子を有することを特徴とする双方向コミュニケーションシステム。
【請求項３７】
請求項２１乃至３５のいずれか一において、前記撮像手段はＣＣＤカメラ、又はＣＭＯＳカメラを有することを特徴とする双方向コミュニケーションシステム。
【請求項３８】
請求項２１乃至３７のいずれか一において、前記撮像手段は、入力された映像情報に対して前記表示手段の透過率に応じた輝度補正を行い、前記表示手段に表示される画像の映像情報に対して前記表示手段からの発光による映り込みに応じた補正を行う補正手段を備えていることを特徴とする双方向コミュニケーションシステム。
【請求項３９】
請求項２１乃至３８のいずれか一において、前記表示手段を透過した映像情報は、前記反射体によって９０度で反射され、前記撮像手段へ入力されることを特徴とする双方向コミュニケーションシステム。
【請求項４０】
請求項２１乃至３９のいずれか一において、前記反射体によって反射された映像情報は、前記基板又は空気中を介して、前記撮像手段へ入力されることを特徴とする双方向コミュニケーションシステム。